(57)【要約】【課題】本発明が解決しようとする課題は、収納袋の装着し忘れを容易に気づくことが可能な金銭払出装置および会計装置を提供することである。【解決手段】実施形態の金銭払出装置は、金銭を金種別に収納する収納部と、金銭を払い出す払出口と、金銭を収納する収納袋が着脱可能な着脱部と、前記収納部に収納された金銭のオーバーフローを判断するオーバーフロー判断手段と、前記収納部に収納された金銭を釣銭として前記払出口に払い出すとともに、前記オーバーフロー判断手段がオーバーフローを判断した金種の金銭を前記着脱部に装着された前記収納袋に払い出す払出手段と、前記着脱部に前記収納袋が未装着であることを条件に前記収納袋が未装着であることを示す情報を出力する情報出力手段と、を備える。【選択図】図１０
2020119613.tif 000002
【特許請求の範囲】
【請求項１】
金銭を金種別に収納する収納部と、
金銭を払い出す払出口と、
金銭を収納する収納袋が着脱可能な着脱部と、
前記収納部に収納された金銭のオーバーフローを判断するオーバーフロー判断手段と、
前記収納部に収納された金銭を釣銭として前記払出口に払い出すとともに、前記オーバーフロー判断手段がオーバーフローを判断した金種の金銭を前記着脱部に装着された前記収納袋に払い出す払出手段と、
前記着脱部に前記収納袋が未装着であることを条件に前記収納袋が未装着であることを示す情報を出力する情報出力手段と、
を備えた金銭払出装置。
【請求項２】
前記情報出力手段は、前記オーバーフロー判断手段が金銭のオーバーフローを判断したことを条件に前記収納袋が未装着であることを示す情報を出力する、
請求項１に記載の金銭払出装置。
【請求項３】
前記払出手段が前記収納袋に払い出した金銭の金種を判断する金種判断手段と、
前記金種判断手段が判断した金銭の金種に基づいて前記金銭の金額を算出する金額算出手段と、をさらに備えた、請求項２に記載の金銭払出装置。
【請求項４】
筐体と、
前記筐体内に備えられた請求項１乃至３のいずれか一の金銭払出装置と、
前記筐体に開閉可能に設けられた扉と、
前記扉を開放可能とする解錠状態と前記扉を閉止する施錠状態とに切り換わるロック機構と、
前記収納袋の回収を示す信号の入力を条件に、前記ロック機構を解錠状態とする解錠手段と、
を備えた会計装置。
【請求項５】
前記解錠手段は、前記ロック機構の解錠権限がある人物を特定するコードの入力があったことを条件に前記ロック機構を解錠状態とする、請求項４に記載の会計装置。
【発明の詳細な説明】
【技術分野】
【０００１】
本発明の実施形態は、金銭払出装置および会計装置に関する。
【背景技術】
【０００２】
従来、例えば、店舗に陳列された商品について、顧客自身が商品の売上登録の操作および決済操作を実行するセルフＰＯＳ（Point  of  Sales）端末が提案されている。このようなセルフＰＯＳ端末は、硬貨や紙幣（総称して「金銭」という）を収納し、顧客に釣銭を払い出す金銭払出装置を扉が付いた筐体内部に収納している。
【０００３】
このような金銭払出装置は、収納可能な上限数を超えて金銭が収納されると、金銭がオーバーフローしたとして、超えた数の金銭を払い出すための収納袋を装着可能としている。この収納袋は、店舗の店員等がセルフＰＯＳ端末の扉を開けて金銭払出装置に装着する。そのため、店員等が収納袋を装着し忘れると、金銭払出装置はオーバーフローした金銭を収納袋に払い出すことができない。
【０００４】
しかしながら、収納袋はセルフＰＯＳ端末の筐体内部にあるため、店員等は、収納袋の装着忘れに気づきにくい。
【発明の概要】
【発明が解決しようとする課題】
【０００５】
本発明が解決しようとする課題は、収納袋の装着し忘れを容易に気づくことが可能な金銭払出装置および会計装置を提供することである。
【課題を解決するための手段】
【０００６】
実施形態の金銭払出装置は、金銭を金種別に収納する収納部と、金銭を払い出す払出口と、金銭を収納する収納袋が着脱可能な着脱部と、前記収納部に収納された金銭のオーバーフローを判断するオーバーフロー判断手段と、前記収納部に収納された金銭を釣銭として前記払出口に払い出すとともに、前記オーバーフロー判断手段がオーバーフローを判断した金種の金銭を前記着脱部に装着された前記収納袋に払い出す払出手段と、前記着脱部に前記収納袋が未装着であることを条件に前記収納袋が未装着であることを示す情報を出力する情報出力手段と、を備える。
【図面の簡単な説明】
【０００７】
【図１】図１は、実施形態に係るシステムを示す模式図である。
【図２】図２は、セルフＰＯＳ端末の外観を示す斜視図である。
【図３】図３は、硬貨釣銭機の内部構造を概略的に示す平面図である。
【図４】図４は、硬貨釣銭機の払出口付近を示す縦断右側面図である。
【図５】図５は、セルフＰＯＳ端末のハードウェア構成を示すブロック図である。
【図６】図６は、硬貨釣銭機のハードウェア構成を示すブロック図である。
【図７】図７は、セルフＰＯＳ端末の機能構成を示す機能ブロック図である。
【図８】図８は、セルフＰＯＳ端末の制御処理の流れを示すフローチャートである。
【図９】図９は、硬貨釣銭機の機能構成を示す機能ブロック図である。
【図１０】図１０は、硬貨釣銭機の制御処理の流れを示すフローチャートである。
【発明を実施するための形態】
【０００８】
以下、図１〜図１０の添付図面を参照して、実施形態に係る金銭払出装置および会計装置について詳細に説明する。実施形態では、顧客自身が売上登録操作および決済操作を実行するセルフＰＯＳ（Point  of  Sales）端末を会計装置の一例として説明する。なお、店員が売上登録処理を実行し、顧客が決済処理を実行するセミセルフＰＯＳ端末を会計装置としてもよい。また、実施形態では、セルフＰＯＳ端末内に備えられた硬貨釣銭機を金銭払出装置の一例として説明する。なお、紙幣釣銭機を金銭払出装置としてもよい。また、以下に説明する実施形態によりこの発明が限定されるものではない。
【０００９】
図１は、実施形態に係るセルフＰＯＳ端末を含むシステムを示す模式図である。図１に示すように、システムは、店舗内に設置された複数台のセルフＰＯＳ端末１とアテンダントＰＣ（Personal  Computer）２とを含む構成である。各セルフＰＯＳ端末１とアテンダントＰＣ２とは、例えばＬＡＮ（Local  Area  Network）回線等の通信回線ＮＴで電気的に接続されている。
【００１０】
セルフＰＯＳ端末１は、購入する商品に付されたバーコードや二次元コード等のシンボルを読み取らせる登録部と、読み取らせたシンボルに対応した商品情報に基づいて決済操作を行う決済部とを備えている。登録部における売上登録操作と決済部における決済操作は、いずれも顧客自身が行う。セルフＰＯＳ端末１は、顧客が行った売上登録操作に基づいて売上登録処理を実行する。また、セルフＰＯＳ端末１は、顧客が行った決済操作に基づいて決済処理を実行する。なお、セルフＰＯＳ端末１の詳細な構成は図２（ａ）、図２（ｂ）、図５で説明する。
【００１１】
ここで、売上登録処理とは、入力された商品コードに基づいて当該商品の商品名や価格等の商品情報を表示し記憶する処理をいう。また、決済処理とは、売上登録処理した商品情報に基づいて、顧客との取引に係る合計金額や釣銭額を表示する処理をいう。
【００１２】
各セルフＰＯＳ端末１の近傍には、顧客が売上登録操作と決済操作をする様子を監視するカメラ（図示せず）が備えられている。アテンダントＰＣ２は、カメラが撮像した各セルフＰＯＳ端末１における顧客の売上登録操作と決済操作の映像を映し出す。店舗の店員であるアテンダントは、アテンダントＰＣ２に映し出された映像を見て、顧客の売上登録操作と決済操作を監視して、例えば顧客による不正をチェックする。また、アテンダントＰＣ２は、セルフＰＯＳ端末１で発生したエラーの状態を表示する。具体的には、アテンダントＰＣ２は、エラーが発生したセルフＰＯＳ端末１を特定する情報を表示する。またアテンダントＰＣ２は、エラーの発生箇所を特定する情報を表示する。
【００１３】
図２（ａ）は、セルフＰＯＳ端末１の外観を示す斜視図である。図２（ａ）に示すように、セルフＰＯＳ端末１は、第１筐体４１と第２筐体４２とを備えている。第１筐体４１は、内部に硬貨釣銭機２７１と紙幣釣銭機２７２（いずれも図２（ｂ）、図５を参照）を備える。硬貨釣銭機２７１は、顧客から預かった硬貨を金種別に収納する。また硬貨釣銭機２７１は、顧客に対して釣銭硬貨を払い出す。紙幣釣銭機２７２は、顧客から預かった紙幣を金種別に収納する。また紙幣釣銭機２７２は、顧客に対して釣銭紙幣を払い出す。
【００１４】
第１筐体４１は、硬貨釣銭機２７１に硬貨を入金する入金部２７１１を備える。また、第１筐体４１は、硬貨の釣銭を払い出す払出口２７３と払い出した硬貨を受ける受皿２８０を備える。この払出口２７３と受皿２８０は、硬貨釣銭機２７１の構成要素であり、開口部２７８から第１筐体４１の外部に露出している。また、第１筐体４１は、紙幣の入金を受け付ける紙幣入金口２７４と、紙幣の釣銭を払い出す紙幣払出口２７５を備える。
【００１５】
また、第１筐体４１は開放および閉止可能な第１扉４１１（扉）と、第２扉４１２を備える。第１扉４１１は、ヒンジ部４１１ａを中心に上下方向に回動する。第２扉４１２は、ヒンジ部４１２ａを中心に左右方向に回動する。第２扉４１２は、第１扉４１１に干渉されており、第２扉４１２を開放するにはまず、第１扉４１１を上方向に開放する。
【００１６】
第１扉４１１が上方に回動することで第１筐体４１の内部上側が開放され、硬貨釣銭機２７１と紙幣釣銭機２７２が露出する。また、第２扉４１２が右方向に回動することで第１筐体４１の内部下側が開放され、棒金ドロワ３８（図２（ｂ）を参照）と制御装置３９（図２（ｂ）を参照）が露出する。
【００１７】
また、第２扉４１２が左方向に回動することで第１筐体４１の内部下側が閉止され、棒金ドロワ３８と制御装置３９が閉止した第２扉４１２によって隠される。その後に、第１扉４１１が下方に回動することで、第１筐体４１の上部が閉止され、硬貨釣銭機２７１と紙幣釣銭機２７２は、第１扉４１１によって隠され、非露出となる。
【００１８】
また、第１筐体４１は、第１電磁ロック３０（図５を参照）を備えている。第１電磁ロック３０は、第１扉４１１を閉止状態に維持して開放不可とする施錠状態と、第１扉４１１を開放可能とする解錠状態に切り換わる。第１電磁ロック３０は、電磁的に解錠状態と施錠状態に切り換わる鍵である。第１電磁ロック３０は、例えばソレノイドに通電することでロックピンを解錠位置に位置させて解錠状態とし、一方、通電を遮断するとロックピンを施錠位置に位置させて施錠状態に切り換わる。
【００１９】
第１扉４１１および第２扉４１２を閉止した状態で第１電磁ロック３０を施錠状態とすると、第１扉４１１および第２扉４１２はいずれも閉止状態となる。第１電磁ロック３０を解錠状態とすると、第１扉４１１が開放可能となる。そして、第１扉４１１を開放すると第２扉４１２が開放可能となる。
【００２０】
図２（ｂ）は、セルフＰＯＳ端末１の第１扉４１１および第２扉４１２を開放とした状態の外観を示す斜視図である。図２（ｂ）に示すように、第１扉４１１が上方に開放状態であるため、セルフＰＯＳ端末１は、内部を開放し、硬貨釣銭機２７１と紙幣釣銭機２７２が露出状態となる。また、第２扉４１２が右方向に開放状態であるため、棒金ドロワ３８と制御部１００（図５を参照）や電源を含む制御装置３９が露出状態となる。
【００２１】
図２（ａ）の説明に戻る。また、第１筐体４１は、側面左右に載置台２６と載置台２５を備えている。載置台２５は第１計量部２５１を有している。載置台２６は第２計量部２６１を有している。
【００２２】
載置台２５は、購入するための商品が入れられたカゴを載置する台である。第１計量部２５１は、載置台２５に載置されたカゴとカゴ内の商品の合計重量を計量する。載置台２６は、載置台２５から取り出した商品を投入する袋をセットする台である。第２計量部２６１は、載置台２６にセットされた袋と袋内の商品の合計重量を計量する。
【００２３】
また、載置台２６は、載置台２６の上面から上方に延出する２本の支柱４３と支柱４３の上部に形成された一時置台４４と２本の延出棒４５を備える。延出棒４５は、読取部２３（図５を参照）で商品コードを読み取らせた商品を入れる袋（図示せず）をセットする棒である。袋は延出棒４５に袋の取っ手を引っ掛けられた状態で開口し、商品を投入し易くする。また、一時置台４４は、読取部２３で商品コードを読み取らせた商品のうち、壊れやすい商品（例えば豆腐や卵）を一時的に載置する台である。一時置台４４に載置された商品は最後に袋に入れる。
【００２４】
第２筐体４２は、第１筐体４１の上部に設けられている。第２筐体４２は、図２（ａ）における右側に読取部２３とカード部２８（いずれも図５を参照）を収納する。また、第２筐体４２は、図２（ａ）における左側にプリンタ２４（図５を参照）を収納する。読取部２３は、シンボルを例えば光学的に読み取る。カード部２８は、クレジットカードで決済する場合に、挿入されたクレジットカードから顧客特定情報を読み出す。プリンタ２４は、セルフＰＯＳ端末１が売上登録処理した商品の商品情報や決済情報をレシート用紙に印字してレシートを発行する。
【００２５】
また、第２筐体４２は、開放位置と閉止位置とで回動する２枚の第３扉４２１を備えている。第３扉４２１は、ヒンジ部４２１ａを中心に観音開きに回動する。第３扉４２１が開放位置に位置する開放状態で、第２筐体４２は開放され、読取部２３とプリンタ２４とカード部２８が露出状態となる。また、第３扉４２１が閉止位置に位置する閉止状態で、第２筐体４２の内部は閉止され、読取部２３とプリンタ２４とカード部２８は、第２筐体４２の内部に収納される。
【００２６】
また、第２筐体４２は、第２電磁ロック３１（図５を参照）を備えている。第２電磁ロック３１は第１電磁ロック３０と同一構造、同一機能である。第２電磁ロック３１は、第３扉４２１を閉止状態に維持して開放不可とする施錠状態と、第３扉４２１を開放可能とする解錠状態に切り換わる。第２電磁ロック３１を施錠状態とすると、第３扉４２１は開放できない。第２電磁ロック３１を解錠状態とすると、第３扉４２１は開放可能となる。
【００２７】
また、第３扉４２１は、読取部２３の読取窓４２１２とプリンタ２４から発行されるレシートを排出する孔４２１１とカード部２８に対してカードを挿入する孔４２１３を備えている。
【００２８】
また、第２筐体４２は、上部に、表示部２２を備えている。表示部２２は、顧客による売上登録操作に伴う商品の商品情報を表示する。また、表示部２２は、顧客による決済操作に伴う決済情報を表示する。表示部２２は、表面にタッチパネル２１を備えている。タッチパネル２１はキーの役目を果たす。表示部２２上に表示された各種キーに対応する位置のタッチパネル２１を操作することで、当該キーが操作される。
【００２９】
また、第２筐体４２は、後方に、上部に延出する円柱状のポール４６を備えている。ポール４６の上方先端部には、発光部２９を備えている。発光部２９は、顧客がアテンダントを呼びだす操作をした場合に発光する。また、発光部２９は、硬貨釣銭機２７１に収納袋２００（図４（ａ）を参照）が装着されていない場合に発光する。
【００３０】
顧客は、載置台２５に載置されたカゴから商品を取出して、読取窓４２１２の前を通過させて、当該商品に付されたコードを読取部２３に読み取らせる。そして顧客は、当該商品を載置台２６に載置された袋に投入する。セルフＰＯＳ端末１は、第１計量部２５１による商品の取り出し前後の重量変化と、第２計量部２６１による商品の投入の前後の重量変化とが一致しているか否かで、顧客が正しく操作をしているかを判断する。重量変化が一致している場合は、セルフＰＯＳ端末１は、売上登録処理を実行する。
【００３１】
次に硬貨釣銭機２７１について説明する。硬貨釣銭機２７１は、本体部２１０と、本体部２１０を覆うカバーとを備える。図３は、硬貨釣銭機２７１の本体部２１０の構造を概略的に示す横断平面図である。硬貨釣銭機２７１の本体部２１０は、投入口３、搬送部９、識別部６、リジェクト部７、および収納部８を備えている。
【００３２】
投入口３は、入金部２７１１と連通しており、入金部２７１１から投入された硬貨を受ける。投入口３は、投入センサ６１を備える。投入センサ６１は、発光部と受光部とを備えた透過型センサであり、投入口３へ投入された硬貨を検知する。また、投入口３は、底面部に搬入ベルト３２を備える。投入センサ６１が硬貨を検知すると、搬入ベルト３２は当該硬貨を本体部２１０内へ搬入する。
【００３３】
搬送部９は、本体部２１０内へ搬入した硬貨を、収納部８へと搬送する。搬送部９は、搬送面９１および搬送ベルト９２を備える。搬送面９１は、搬送中の硬貨の下面を支える。搬送ベルト９２は、入金モータ５７（図６を参照）の駆動力を受けて回転する無終端ベルトであって、搬送面９１上の硬貨の上面に接して、硬貨を、搬送面９１上を滑らせて移動させる。
【００３４】
識別部６は、搬送部９で搬送中の硬貨の真贋と金種を識別する。リジェクト部７は、識別部６により贋硬貨であると識別された硬貨を、搬送面９１上から排除する。リジェクト部７で排除した硬貨は、搬送面９１の下に設けられた通路を通って、外部に排出される。
【００３５】
収納部８は金種別に部屋が区画された硬貨を収納する容器である。収納部８は、各部屋の底面を無終端ベルト８１で構成している。無終端ベルト８１は、払出モータ５８（図６を参照）の駆動力を受けることにより回転する。
【００３６】
硬貨釣銭機２７１は、搬送部９と収納部８との間に、落下センサ６２を備える。落下センサ６２は透過型センサである。落下センサ６２は金種毎に設けられ、搬送部９を搬送されて収納部８に落下する硬貨を検知して出力する。後述する制御部５００は、落下センサ６２からの出力に基づいて、落下する硬貨を金種別に計数する。また、硬貨釣銭機２７１は、収納部８と払出口２７３の間に、払出センサ６３を備える。払出センサ６３は、硬貨の材質を識別する材質センサである。払出センサ６３は金種毎に設けられ、収納部８から払出口２７３に払い出される硬貨を検知して出力する。制御部５００は、払出センサ６３からの出力に基づいて、落下する硬貨を金種別に計数する。
【００３７】
収納部８は、識別部６により正貨であると識別され搬送部９で搬送された硬貨を、金種別に無終端ベルト８１の上に積み上げて収納する。また、収納部８は、無終端ベルト８１を回転させることにより硬貨を本体部２１０の前面側へと移動させて、払出口２７３から払い出す。受皿２８０は、払出口２７３から払い出された硬貨を受ける。
【００３８】
ここからは、図４（ａ）と図４（ｂ）を用いて、収納部８から払い出される硬貨の払い出し方向を、払出口２７３側と収納袋２００側とに切り替える案内部付近の構造について説明する。図４（ａ）および図４（ｂ）は、払出口２７３と受皿２８０周りの構造を示す縦断右側面図である。図４（ａ）および図４（ｂ）において、硬貨釣銭機２７１は、無終端ベルト８１と払出口２７３との間に案内部１０を備える。また、硬貨釣銭機２７１は、受皿２８０の下方に、収納袋２００を着脱可能な着脱部２０４を備える。収納袋２００は、収納部８に収納した硬貨から、オーバーフローした硬貨を収納する袋である。オーバーフローとは、収納部８に収納されている硬貨の数が満杯とされる当該金種の所定数を超えている状態をいう。
【００３９】
図４（ａ）および図４（ｂ）において、案内部１０は、軸（図示せず）を中心に一定範囲で時計方向及び反時計方向に回動可能である。図４（ａ）は、案内部１０が時計方向に回動した状態の図である。図４（ｂ）は、案内部１０が反時計方向に回動した状態の図である。案内部１０は、切換ソレノイド５９（図６を参照）によって図４（ａ）の位置と図４（ｂ）の位置に切り換えられる。
【００４０】
また、案内部１０は、硬貨を案内する案内面１０ａを備える。案内部１０が時計方向に回動した図４（ａ）の状態では、無終端ベルト８１によって搬送された硬貨は、案内面１０ａに案内されて払出口２７３へと、矢印Ｙ１の方向に払い出される。また、案内部１０が反時計方向に回動した図４（ｂ）の状態では、無終端ベルト８１によって搬送された硬貨は、案内面１０ａに案内されて収納袋２００へと、矢印Ｙ２の方向に払い出される。
【００４１】
収納袋２００は、受皿２８０の下方の着脱部２０４に、着脱自在に取り付け可能である。収納袋２００は、払い出された硬貨を保持する袋２０１と、袋２０１を開口させた状態で支持するフレーム２０２とを備える。フレーム２０２は、収納袋２００を着脱する操作者が持ち手とするための把持部２０３を有する。また、硬貨釣銭機２７１は、着脱部２０４に近接した位置に収納袋センサ６５を備える。収納袋センサ６５は、収納袋２００の着脱部２０４への装着の有無を検知し、収納袋２００が装着されていることを示す信号、または未装着であることを示す信号を出力する。
【００４２】
収納部８に収納されている硬貨の数がオーバーフローしていない場合には、硬貨釣銭機２７１は、案内部１０を時計方向に回動させて、収納部８に収納されている硬貨を払出口２７３から受皿２８０へと払い出す。一方、収納部８に収納されている硬貨の数がオーバーフローしている場合には、硬貨釣銭機２７１は、案内部１０を反時計方向に回動させて、収納部８に収納されている硬貨を収納袋２００内へと払い出す。
【００４３】
ここからは、セルフＰＯＳ端末１と硬貨釣銭機２７１のハードウェア構成について説明する。図５は、セルフＰＯＳ端末１のハードウェア構成を示すブロック図である。図５に示すように、セルフＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は、制御主体となる。ＲＯＭ１２は、各種プログラムを記憶する。ＲＡＭ１３は、各種データを展開する。メモリ部１４は、各種プログラムを記憶する。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する制御処理を実行する。
【００４４】
メモリ部１４は、電源を切っても記憶情報が保持されるＨＤＤ（Hard  Disc  Drive）やフラッシュメモリ等の不揮発性メモリで構成され、制御プログラムを記憶する制御プログラム部１４１を備えている。
【００４５】
また、制御部１００は、データバス１５およびコントローラ１６を介して、タッチパネル２１、表示部２２、読取部２３、プリンタ２４、第１計量部２５１、第２計量部２６１、硬貨釣銭機２７１、紙幣釣銭機２７２、カード部２８、発光部２９と接続している。
【００４６】
タッチパネル２１は、表示部２２のキーの表示に対応したスタートキー２１１、終了キー２１２等のキーを備える。スタートキー２１１は、商品の売上登録操作を開始する際に顧客が操作する。終了キー２１２は、商品の売上登録操作を終了する際に顧客が操作する。終了キー２１２が操作されると、セルフＰＯＳ端末１は決済処理を開始する。
【００４７】
また、制御部１００は、データバス１５およびコントローラ１６を介して、第１電磁ロック３０、第２電磁ロック３１、と接続している。
【００４８】
また、制御部１００は、データバス１５を介して通信部３６と接続する。通信部３６は、通信回線ＮＴを介して他のセルフＰＯＳ端末１やアテンダントＰＣ２と接続する。
【００４９】
図示しないアテンダントＰＣ２のハードウェア構成は、ＣＰＵ、ＲＯＭ、ＲＡＭ、メモリ部、表示部等を備えたコンピュータである。ＣＰＵとＲＯＭとＲＡＭが、制御部を構成する。すなわち、制御部は、制御プログラムに従って後述する制御処理を実行する。また、アテンダントＰＣ２は、表示部を備え、収納袋２００の硬貨釣銭機２７１への装着の有無を表示する。
【００５０】
図６は、硬貨釣銭機２７１のハードウェア構成を示すブロック図である。図６において、硬貨釣銭機２７１は、ＣＰＵ５１、ＲＯＭ５２、ＲＡＭ５３、メモリ部５４等を備えている。ＣＰＵ５１は、制御主体となる。ＲＯＭ５２は、各種プログラムを記憶する。ＲＡＭ５３は、各種データを展開する。メモリ部５４は、各種プログラムを記憶する。ＣＰＵ５１、ＲＯＭ５２、ＲＡＭ５３、メモリ部５４は、互いにデータバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述する制御処理を実行する。
【００５１】
メモリ部５４は、電源を切っても記憶情報が保持されるＨＤＤやフラッシュメモリ等の不揮発性メモリで構成され、制御プログラムを記憶する制御プログラム部５４１、収納硬貨数部５４２、収納限界数部５４３を備えている。収納硬貨数部５４２は、収納部８に収納されている硬貨の数を金種別に記憶する。なお、収納硬貨数部５４２は、収納部８に収納されている硬貨の金額も金種別に記憶する。また、収納硬貨数部５４２は、収納部８に収納されている硬貨の合計金額も記憶する。収納限界数部５４３は、金種別に、各収納部８に収納可能な硬貨の上限数を記憶している。この上限数は、金種毎に異なってもよい。
【００５２】
また、制御部５００は、データバス５５およびコントローラ５６を介して、入金モータ５７、払出モータ５８、切換ソレノイド５９、判別センサ６０、投入センサ６１、落下センサ６２、払出センサ６３、収納袋センサ６５と接続している。入金モータ５７は、投入口３に投入された硬貨を搬送部９を搬送して収納部８まで移動させるために、搬送ベルト９２を駆動するモータである。払出モータ５８は、収納部８に収納されている硬貨を払出口２７３まで搬送するために無終端ベルト８１を駆動するモータである。
【００５３】
また、制御部５００は、データバス５５を介して通信部６６と接続する。通信部６６は、通信ケーブルＮＣを介してコントローラ１６と接続される。
【００５４】
ここからは、図７〜図１０を用いて、セルフＰＯＳ端末１および硬貨釣銭機２７１の制御について詳細に説明する。図７は、セルフＰＯＳ端末１の機能構成を示す機能ブロック図である。制御部１００は、ＲＯＭ１２やメモリ部１４の制御プログラム部１４１に記憶された制御プログラムに従うことで、解錠手段１０１として機能する。
【００５５】
解錠手段１０１は、収納袋２００の回収を示す信号の入力を条件に、第１電磁ロック３０を解錠状態とする機能を有する。
【００５６】
図８は、セルフＰＯＳ端末１の制御処理の流れを示すフローチャートである。図８に示すように、制御部１００は、スタートキー２１１が操作されたか否かを判断する（Ｓ１１）。操作されたと判断した場合には（Ｓ１１のＹｅｓ）、制御部１００は、読取部２３からバーコードを読み取ったか否かを判断する（Ｓ１２）。バーコードを読み取ったと判断した場合には（Ｓ１２のＹｅｓ）、制御部１００は、当該バーコードから商品を特定する商品コードを取得したか否かを判断する（Ｓ１３）。商品コードを取得したと判断した場合には（Ｓ１３のＹｅｓ）、制御部１００は、当該商品について売上登録処理を実行する（Ｓ１４）。Ｓ１４において、制御部１００は、売上登録処理された商品の商品情報（商品名、価格等）を商品情報部１３１に記憶する。そして制御部１００は、Ｓ１２に戻る。
【００５７】
また、バーコードを入力していないと判断した場合には（Ｓ１２のＮｏ）、制御部１００は、終了キー２１２が操作されたか否かを判断する（Ｓ１５）。終了キー２１２が操作されたと判断した場合には（Ｓ１５のＹｅｓ）、制御部１００は、商品情報部１３１に記憶された商品情報に基づいて決済処理を実行する（Ｓ１６）。そして制御部１００は、決済処理で算出した当該取引の合計金額情報を硬貨釣銭機２７１と紙幣釣銭機２７２に出力する（Ｓ１７）。次に制御部１００は、プリンタ２４を用いて、商品情報、合計金額情報、後述する硬貨釣銭機２７１や紙幣釣銭機２７２から受信した入金情報や釣銭情報の決済情報等を印字したレシートを発行する（Ｓ１８）。そして制御部１００は、Ｓ１１に戻る。なお、終了キー２１２が操作されていないと判断した場合には（Ｓ１５のＮｏ）、制御部１００は、Ｓ１２に戻る。
【００５８】
一方、Ｓ１３において、商品コードを取得していないと判断した場合には（Ｓ１３のＮｏ）、制御部１００は、入力したバーコードからアテンダントコードを取得したか否かを判断する（Ｓ２１）。アテンダントＰＣを操作するアテンダントは、例えば、アテンダントコードを含むバーコードを印字した名札を装着している。読取部２３が名札からバーコードを読み取ると、制御部１００は、アテンダントコードを取得したと判断する。アテンダントコードを取得したと判断した場合には（Ｓ２１のＹｅｓ）、次に制御部１００は、取得したアテンダントコードが、セルフＰＯＳ端末１の第１扉４１１を開放する権限を持つアテンダントのアテンダントコードであるか否かを判断する（Ｓ２２）。権限を持つアテンダントのアテンダントコードであると判断した場合には（Ｓ２２のＹｅｓ）、制御部１００（解錠手段１０１）は、第１電磁ロック３０を解錠状態として、第１扉４１１を開放する（Ｓ２３）。そして制御部１００は、Ｓ１１に戻る。
【００５９】
なお、第１扉４１１を開放する権限を持たないアテンダントのアテンダントコードであると判断した場合には（Ｓ２２のＮｏ）、制御部１００は、権限がないことを示すエラーメッセージを表示部２２に表示する（Ｓ２４）。そして制御部１００は、Ｓ１１に戻る。また、Ｓ２１において、アテンダントコードを取得していないと判断した場合には（Ｓ２１のＮｏ）、制御部１００は、その他の処理を実行する（Ｓ２５）。そして制御部１００は、Ｓ１１に戻る。
【００６０】
また、Ｓ１１において、スタートキー２１１は操作されていないと判断した場合には（Ｓ１１のＮｏ）、制御部１００は、硬貨釣銭機２７１から後述する払出金額情報（収納袋２００に払い出した硬貨の金額）を入力したか否かを判断する（Ｓ３１）。払出金額情報を入力したと判断した場合には（Ｓ３１のＹｅｓ）、制御部１００は、入力した払出金額情報をアテンダントＰＣ２に送信する（Ｓ３２）。払出金額情報を受信したアテンダントＰＣ２は、当該セルフＰＯＳ端末１の監視画面に、払出金額情報を表示する。そして制御部１００は、Ｓ１１に戻る。
【００６１】
一方、硬貨釣銭機２７１から払出金額情報を入力していないと判断した場合には（Ｓ３１のＮｏ）、制御部１００は、硬貨釣銭機２７１から収納袋２００が未装着であることを示す情報を入力したか否かを判断する（Ｓ３３）。収納袋２００が未装着であることを示す情報を入力したと判断した場合には（Ｓ３３のＹｅｓ）、制御部１００は、発光部２９を赤く点灯（または点滅）させる（Ｓ３４）。そして制御部１００は、収納袋２００が未装着であることを示す情報をアテンダントＰＣ２に送信する（Ｓ３５）。収納袋２００が未装着であることを示す情報を受信したアテンダントＰＣ２は、当該セルフＰＯＳ端末１の監視画面に、収納袋２００が未装着であることを示すメッセージを表示する。そして制御部１００は、Ｓ１１に戻る。また、硬貨釣銭機２７１から収納袋２００が未装着であることを示す情報を入力していないと判断した場合には（Ｓ３３のＮｏ）、制御部１００は、収納袋２００が装着されていることを示す情報をアテンダントＰＣ２に送信する（Ｓ３６）。収納袋２００が装着されていることを示す情報を受信したアテンダントＰＣ２は、当該セルフＰＯＳ端末１の監視画面に、収納袋２００が装着されていることを示すメッセージか印を表示する。そして制御部１００は、Ｓ１１に戻る。
【００６２】
図９は、硬貨釣銭機２７１の機能構成を示す機能ブロック図である。制御部５００は、ＲＯＭ５２やメモリ部５４の制御プログラム部５４１に記憶された制御プログラムに従うことで、オーバーフロー判断手段５０１、払出手段５０２、情報出力手段５０３、金種判断手段５０４、金額算出手段５０５として機能する。
【００６３】
オーバーフロー判断手段５０１は、収納部８に収納された硬貨のオーバーフローを判断する機能を有する。すなわち、制御部５００は、金種別に、落下センサ６２が計数した硬貨の数から払出センサ６３が計数した硬貨の数を減算した数と、収納限界数部５４３に記憶されている金種別の収納上限数とを比較して、算出した硬貨の数が上限数を超えた金種について、当該金種の収納部８がオーバーフローしたことを判断する。払出手段５０２は、収納部８に収納された硬貨を釣銭として払出口２７３に払い出すとともに、オーバーフロー判断手段５０１がオーバーフローを判断した金種の硬貨を着脱部２０４に装着された収納袋２００に払い出す機能を有する。情報出力手段５０３は、着脱部２０４に収納袋２００が未装着であることを条件に収納袋２００が未装着であることを示す情報を出力する機能を有する。金種判断手段５０４は、払出手段５０２が収納袋２００に払い出した硬貨の金種を判断する機能を有する。金額算出手段５０５は、金種判断手段５０４が判断した硬貨の金種に基づいて硬貨の金額を算出する機能を有する。
【００６４】
図１０は、硬貨釣銭機２７１の制御処理の流れを示すフローチャートである。なお、硬貨釣銭機２７１において、初期状態において、切換ソレノイド５９に通電していないため、案内部１０は時計方向に回動して図４（ａ）の状態となっている。図１０において、制御部５００は、Ｓ１７の処理に基づく合計金額情報をセルフＰＯＳ端末１から入力したか否かを判断する（Ｓ４１）。合計金額情報を入力したと判断した場合には（Ｓ４１のＹｅｓ）、制御部５００は、当該合計金額情報をＲＡＭ５３に記憶する（Ｓ４２）。次に制御部５００は、入金部２７１１から投入された硬貨を投入口３に備えられた投入センサ６１が検知したか否かを判断する（Ｓ４３）。検知するまで待機し（Ｓ４３のＮｏ）、検知したと判断した場合には（Ｓ４３のＹｅｓ）、制御部５００は、搬入ベルト３２および搬送ベルト９２を駆動して、投入した硬貨を収納部８まで搬送して収納部８に収納する入金処理を実行する（Ｓ４４）。搬送された硬貨は、該当する金種の収納部８に落下して収納される。硬貨が落下する際に落下センサ６２は、落下する硬貨に対応した電圧を出力する。制御部５００は、落下センサ６２の出力に基づいて当該金種の落下した硬貨の数を計数して、入金金額を算出する（この処理も入金処理Ｓ４４である）。
【００６５】
次に制御部５００は、算出した入金金額からＳ４２で記憶した合計金額情報を減算して釣銭額を算出する（Ｓ４５）。そして制御部５００は、釣銭があるか否かを判断する（Ｓ４６）。釣銭があると判断した場合には（Ｓ４６のＹｅｓ）、制御部５００（払出手段５０２）は、無終端ベルト８１を駆動して、釣銭額に相当する金種の硬貨を必要枚数だけ収納部８から払い出す（Ｓ４７）。払い出された硬貨は、案内部１０の案内面１０ａにガイドされて、払出口２７３へと矢印Ｙ１の方向に払い出される。
【００６６】
この際、払出センサ６３は、払い出した硬貨に対応した電圧を出力する。制御部５００は、落下センサ６２からの出力に基づいて払い出された硬貨を計数する。また制御部５００は、落下した硬貨の数から払い出された硬貨の数を減算して、収納部８に収納されている硬貨の数と金額を金種別に算出する。そして制御部５００は、収納硬貨数部５４２に記憶されている硬貨の数を更新する（Ｓ４８）。この際、金種別の収納金額と総計金額をも更新する。そして制御部５００は、Ｓ４４で算出した入金額とＳ４７で払い出された釣銭額を、セルフＰＯＳ端末１に出力する（Ｓ４９）。そして制御部５００は、Ｓ４１に戻る。
【００６７】
なお、釣銭はないと判断した場合には（Ｓ４６のＮｏ）、制御部５００は、Ｓ４４で算出した入金額に基づいて、収納硬貨数部５４２に記憶されている硬貨の数および金額を更新する（Ｓ５０）。そして制御部５００は、Ｓ４４で算出した入金額と釣銭がないことを、セルフＰＯＳ端末１に出力する（Ｓ５１）。そして制御部５００は、Ｓ４１に戻る。
【００６８】
一方、セルフＰＯＳ端末１から合計金額情報を入力していないと判断した場合には（Ｓ４１のＮｏ）、制御部５００（オーバーフロー判断手段５０１）は、収納硬貨数部５４２に記憶されている硬貨の数と収納限界数部５４３に記憶されている硬貨の上限数とを比較して、収納部８に収納されている硬貨がオーバーフローしているか否かを判断する（Ｓ６１）。この比較は、硬貨の数の代わりに、金種毎の金額の比較または収納部８に収納されている硬貨の総金額の比較でもよい。収納硬貨数部５４２に記憶されている硬貨の数が収納限界数部５４３に記憶されている硬貨の上限数を超えている場合には、制御部５００は、硬貨がオーバーフローしていると判断する。オーバーフローしていると判断した場合には（Ｓ６１のＹｅｓ）、収納袋センサ６５の出力から、硬貨釣銭機２７１の着脱部２０４に収納袋２００が装着されているか否かを判断する（Ｓ６２）。装着されていると判断した場合には（Ｓ６２のＹｅｓ）、制御部５００は、オーバーフローしている金種と数を算出する（Ｓ６３）。
【００６９】
そして制御部５００（切換手段）は、切換ソレノイド５９に通電して、案内部１０を反時計方向に回動させて図４（ｂ）の状態に切り替える（Ｓ６４）。そして制御部５００（払出手段５０２）は、無終端ベルト８１を駆動して、Ｓ６３で算出した額の硬貨を収納袋２００内に払い出す（Ｓ６５）。なお、制御部５００は、Ｓ６３で算出した額以上の硬貨を収納袋２００に払い出してもよい。そして制御部５００は、切換ソレノイド５９への通電を停止して、案内部１０を時計方向に回動させて図４（ａ）の状態に切り替える（Ｓ６６）。次に制御部５００（金種判断手段５０４、金額算出手段５０５）は、払出センサ６３によって検出された硬貨の金種を判断して、払出金額を算出する（Ｓ６７）。そして制御部５００は、払い出した金種の情報と算出した払出金額情報をセルフＰＯＳ端末１に出力する（Ｓ６８）。そして制御部５００は、Ｓ４１に戻る。
【００７０】
また、Ｓ６２において、硬貨釣銭機２７１の着脱部２０４に収納袋２００が装着されていないと判断した場合には（Ｓ６２のＮｏ）、制御部５００（情報出力手段５０３）は、収納袋２００が装着されていないことを示す情報をセルフＰＯＳ端末１に出力する（Ｓ７１）。そして制御部５００は、Ｓ４１に戻る。なお、Ｓ６１において硬貨がオーバーフローしていないと判断した場合には（Ｓ６１のＮｏ）、制御部５００は、Ｓ４１に戻る。
【００７１】
このような実施形態によれば、硬貨釣銭機２７１の制御部５００は、硬貨釣銭機２７１に収納袋２００が装着されていないことを、セルフＰＯＳ端末１に出力する。また、セルフＰＯＳ端末１は、硬貨釣銭機２７１に収納袋２００が装着されていないことを示す情報をアテンダントＰＣ２に送信する。アテンダントＰＣ２は、硬貨釣銭機２７１に収納袋２００が装着されていないことを示す情報を表示する。そのため、アテンダントは、収納袋２００が装着されていない硬貨釣銭機２７１を容易に気づくことができる。
【００７２】
また、実施形態によれば、硬貨釣銭機２７１に収納袋２００を装着する際に、アテンダントが装着しているアテンダントコードを読取部２３から読み取らせることで、第１扉４１１を開放するための第１電磁ロック３０を解錠することができる。そのため、アテンダントは、収納袋２００が装着されていない硬貨釣銭機２７１への収納袋２００の装着を容易に行うことができる。
【００７３】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７４】
例えば、実施形態では、硬貨釣銭機２７１は、収納袋２００が未装着である場合に未装着であることを示す情報をセルフＰＯＳ端末１に出力するようにした。しかしながら、硬貨釣銭機２７１は、加えて、収納袋２００が装着されている場合に装着されていることを示す情報をセルフＰＯＳ端末１に出力するようにしてもよい。
【００７５】
また、実施形態では、硬貨釣銭機２７１は、収納部８がオーバーフローしていると判断したことを条件に、収納袋２００が未装着である場合に未装着であることを示す情報をセルフＰＯＳ端末１に出力するようにした。しかしながら、硬貨釣銭機２７１は、収納部８がオーバーフローしていないと判断したときにも、収納袋２００が未装着である場合に未装着であることを示す情報をセルフＰＯＳ端末１に出力するようにしてもよい。
【００７６】
また、実施形態では、セルフＰＯＳ端末１は、硬貨釣銭機２７１が収納袋２００を未装着である場合に未装着であることを示す情報をアテンダントＰＣ２に送信し、収納袋２００を装着している場合に装着していることを示す情報をアテンダントＰＣ２に送信した。しかしながら、硬貨釣銭機２７１が収納袋２００を未装着である場合にのみ、未装着であることを示す情報をアテンダントＰＣ２に送信するようにしてもよい。
【符号の説明】
【００７７】
１          セルフＰＯＳ端末
１０        案内部
２４        プリンタ
３０        第１電磁ロック
１００      制御部
１０１      解錠手段
２００      収納袋
２０４      着脱部
２７１      硬貨釣銭機
４１１      第１扉
５００      制御部
５０１      オーバーフロー判断手段
５０２      払出手段
５０３      情報出力手段
５０４      金種判断手段
５０５      金額算出手段
【先行技術文献】
【特許文献】
【００７８】
【特許文献１】特開２０１１−５４１２１号公報
【図１】
2020119613.tif 000003
【図２】
2020119613.tif 000004
【図３】
2020119613.tif 000005
【図４】
2020119613.tif 000006
【図５】
2020119613.tif 000007
【図６】
2020119613.tif 000008
【図７】
2020119613.tif 000009
【図８】
2020119613.tif 000010
【図９】
2020119613.tif 000011
【図１０】
2020119613.tif 000012
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
顧客が操作を行うとともに、内部に金銭払出装置を収納可能な会計装置であって、
筐体と、
前記筐体内に収納された前記金銭払出装置と通信可能な通信手段と、
金銭を金種別に収納する収納部と金銭を収納する収納袋が着脱可能な着脱部と前記収納袋の前記着脱部への装着の有無を検知する収納袋センサとを収納する前記金銭払出装置から前記通信手段が前記着脱部に前記収納袋が未装着であることを示す情報を受信した場合に、前記収納袋が未装着であることを示す情報を通知する情報通知手段と、
を備えた会計装置。
【請求項２】
発光部をさらに備え、
前記情報通知手段は、前記収納袋が未装着であることを示す情報として前記発光部を発光させる、
請求項１に記載の会計装置。
【請求項３】
前記情報通知手段は、前記収納袋が未装着であることを示す情報をアテンダントＰＣに通知する、
請求項１または２に記載の会計装置。
【請求項４】
監視画面をさらに備え、
前記情報通知手段は、前記収納袋が未装着であることを示すメッセージを前記監視画面に表示する、
請求項１乃至３のいずれか一に記載の会計装置。
【請求項５】
前記情報通知手段は、前記金銭払出装置が金銭のオーバーフローを判断したことを条件に前記収納袋が未装着であることを示す情報を通知する、
請求項１乃至４のいずれか一に記載の会計装置。
【請求項６】
顧客が操作を行う会計装置に収納可能であって、
金銭を金種別に収納する収納部と、
金銭を収納する収納袋が着脱可能な着脱部と、
前記収納袋の前記着脱部への装着の有無を検知する収納袋センサと、
前記収納袋センサが前記収納袋の前記着脱部への未装着を検知した場合に、前記収納袋が前記着脱部に装着されていないことを示す情報を前記会計装置に出力する情報出力手段と、
を備えた金銭払出装置。
【手続補正２】
【補正対象書類名】明細書
【補正対象項目名】０００６
【補正方法】変更
【補正の内容】
【０００６】
実施形態の会計装置は、顧客が操作を行うとともに、内部に金銭払出装置を収納可能な会計装置であって、筐体と、前記筐体内に収納された前記金銭払出装置と通信可能な通信手段と、金銭を金種別に収納する収納部と金銭を収納する収納袋が着脱可能な着脱部と前記収納袋の前記着脱部への装着の有無を検知する収納袋センサとを収納する前記金銭払出装置から前記通信手段が前記着脱部に前記収納袋が未装着であることを示す情報を受信した場合に、前記収納袋が未装着であることを示す情報を通知する情報通知手段と、を備える。